(57)【特許請求の範囲】
【請求項１】
地中に埋設されるマンホール又はハンドホールの底部の水抜き孔を形成するコンクリート一体部品に対して取り付ける逆止弁であって、
該逆止弁は、
筒状で外周に沿って雄ネジ部が形成され、上部に外側に張り出した第１フランジ部と内側に張り出した第２フランジ部とを有し、前記コンクリート一体部品に螺着される本体ケースと、
該本体ケースの下部に配設されるフィルター部材と、
前記本体ケースの内部に遊動自在に配設され半球形又はドーム形で内部に浮力用の発泡材が充填されるバルブと、
前記第２フランジ部の縁部に沿って環状に設けられ前記バルブが密接可能なパッキンと、
該パッキンの上部に位置し、当該パッキンに対して離隔して排水可能に配設され又は密着して止水状態に配設できるカバー部材と、から構成され、
前記カバー部材は、膨出部を有する皿形状に形成され、該膨出部を前記パッキンに対して離隔して配設すると排水可能であり、また、当該カバー部材を反転させて前記膨出部を前記パッキンに対して密着して配設すると止水状態になる構成であること
を特徴とする逆止弁。
【請求項２】
前記第１フランジ部の上部には、係止用の係止溝が形成された壁部が等間隔で複数箇所に立設し、
前記カバー部材の外周には、複数の係止片が形成され、
該係止片を前記係止溝に係止して前記カバー部材を取外し自在に取り付ける構成であること
を特徴とする請求項１に記載の逆止弁。
【発明の詳細な説明】
【技術分野】
【０００１】
本発明は、マンホールやハンドホールの底部に設けられる水抜き孔の逆止弁に関するものであり、更に詳しくは、上部から侵入する雨水等の水を抜き、また、地下水位が高い時には水抜き孔からの水の浸入を防止する逆止弁に関するものである。
【背景技術】
【０００２】
従来、この種の逆止弁としては、図１１に示す構成のものが知られている。この逆止弁１は、マンホール等の水抜き孔を形成するコンクリート一体部品２に対して螺着される本体ケース３と、本体ケース３の上部及び下部に配設されるフィルター部材４と、各フィルター部材４に隣接して配設される繊維状のフィルター部材４ａと、本体ケース３の内部に遊動自在に配設される球体のバルブ５と、本体ケース３の内周に沿って環状に設けられバルブ５が密接可能なパッキン６とから構成される。
【０００３】
このような構成の逆止弁１は、マンホール等の上部から侵入する水が本体ケース３の内部に流入して、フィルター部材４を通過して外部へ排水される。また、地下水位が高い時にはバルブ５が浮力で浮き、パッキン６に密接して施蓋状態になり、内部への水の浸入を防止する。
【０００４】
図１１に示す逆止弁１は、バルブ５が浮いてパッキン６に密接して施蓋しており、マンホール等の内部への水の浸入を防止する状態である。
【０００５】
なお、実開昭６０−５９７３２号公報には、マンホール装置の水抜き孔と逆止弁とが開示されており（特許文献１、第１図乃至第４図参照）、特開２０００−３１４１２６号公報には、地中線ボックスの排水部に施蓋する盲栓が開示されている（特許文献２、図２及び図３参照）。
【先行技術文献】
【特許文献】
【０００６】
【特許文献１】実開昭６０−５９７３２号公報（第１図乃至第４図参照）
【特許文献２】特開２０００−３１４１２６号公報（図２及び図３参照）
【発明の概要】
【発明が解決しようとする課題】
【０００７】
この従来例の逆止弁１においては、バルブ５が球体なので、その直径の寸法分だけ本体ケース３の高さが増加することとなり、その結果、逆止弁１の高さが長くなるという欠点を有する。
【０００８】
また、逆止弁の機能を使わずに、止水機能だけにする場合は、逆止弁１に換えて水抜き栓を別途に準備して交換する必要があり、そのような作業は面倒で厄介であるという欠点も有している。
【０００９】
従って、従来例における逆止弁１においては、高さを短く形成してコンパクトにすることと、逆止弁の機能を簡単に停止し又は復帰することとに解決しなければならない課題を有している。
【課題を解決するための手段】
【００１０】
前記従来例の課題を解決するための本発明の要旨は、地中に埋設されるマンホール又はハンドホールの底部の水抜き孔を形成するコンクリート一体部品に対して取り付ける逆止弁であって、該逆止弁は、筒状で外周に沿って雄ネジ部が形成され、上部に外側に張り出した第１フランジ部と内側に張り出した第２フランジ部とを有し、前記コンクリート一体部品に螺着される本体ケースと、該本体ケースの下部に配設されるフィルター部材と、前記本体ケースの内部に遊動自在に配設され半球形又はドーム形で内部に浮力用の発泡材が充填されるバルブと、前記第２フランジ部の縁部に沿って環状に設けられ前記バルブが密接可能なパッキンと、該パッキンの上部に位置し、当該パッキンに対して離隔して排水可能に配設され又は密着して止水状態に配設できるカバー部材と、から構成され、前記カバー部材は、膨出部を有する皿形状に形成され、該膨出部を前記パッキンに対して離隔して配設すると排水可能であり、また、当該カバー部材を反転させて前記膨出部を前記パッキンに対して密着して配設すると止水状態になる構成であることである。
【００１１】
また、前記第１フランジ部の上部には、係止用の係止溝が形成された壁部が等間隔で複数箇所に立設し、前記カバー部材の外周には、複数の係止片が形成され、該係止片を前記係止溝に係止して前記カバー部材を取外し自在に取り付ける構成であること、；
を含むものである。
【発明の効果】
【００１２】
本発明に係る逆止弁によれば、マンホール等の上部から侵入する水が本体ケースの内部に流入して、フィルター部材を通過して外部へ排水される。また、地下水位が高い時にはバルブが浮力で浮きパッキンに密接して施蓋状態になり、内部への水の浸入を防止する。このように逆止弁は、地下水位のレベル変動に確実に対応できる。
特に、バルブは半球形又はドーム形に形成されるので、従来例の球体のバルブと比較して、逆止弁の高さを短く形成することができるのでコンパクトになる。
そして、バルブの内部には浮力用の発泡材が充填されるので、水に浮遊し易くなり、バルブに密接し易い。
カバー部材はパッキンに対して離隔して排水可能に配設できるだけでなく、パッキンに密着して止水状態に配設できるので、逆止弁の機能を簡単に停止し又は復帰できる。
さらに、カバー部材は本体ケースの上部を覆ってパッキンとの間の隙間を維持するので、落ち葉等によるゴミ詰まりを防止する役目を果たすこととなる。
また、全ての部品、即ち本体ケース、フィルター部材、バルブ、発泡材、パッキン、及びカバー部材は、分解して交換できるので、部品の破損時等に便利であり経済的である。
特に、カバー部材は、膨出部を有する皿形状に形成され、膨出部をパッキンに対して離隔して配設すると排水可能であり、また、当該カバー部材を反転させて膨出部をパッキンに対して密着して配設すると止水状態になる構成であることによって、１枚のカバー部材を反転して使用することで、逆止弁の機能を簡単に停止し又は復帰できるという種々の優れた効果を奏する。
【００１３】
第１フランジ部の上部には、係止用の係止溝が形成された壁部が等間隔で複数箇所に立設し、カバー部材の外周には、複数の係止片が形成され、係止片を係止溝に係止してカバー部材を取外し自在に取り付ける構成であることによって、カバー部材の取り付けと取り外しとが簡単でスムーズにおこなえる。つまり、カバー部材を反転して簡単に取り付けたり、または取り外しができるので、逆止弁の機能を簡単に停止し又は復帰できるという優れた効果を奏する。
【図面の簡単な説明】
【００１５】
【図１】本発明に係る逆止弁１１の斜視図である。
【図２】本発明に係る逆止弁１１の縦断面を示す斜視図である。
【図３】本発明に係る逆止弁１１を各部品に分離して示す斜視図である。
【図４】コンクリート一体部品１２に取り付けた逆止弁１１の縦断面を示す斜視図である。
【図５】逆止弁機能を利用する場合の逆止弁１１の斜視図である。
【図６】逆止弁機能を利用する場合の逆止弁１１の斜視図である。
【図７】バルブ１５がパッキン１６に密接した状態を示す逆止弁１１の縦断面図である。
【図８】逆止弁機能を利用しない場合の逆止弁１１の斜視図である。
【図９】逆止弁機能を利用しない場合の逆止弁１１の縦断面を示す斜視図である。
【図１０−１】他の実施例のカバー部材３２の斜視図である。
【図１０−２】他の実施例のカバー部材３４の斜視図である。
【図１１】従来例に係る逆止弁１の縦断面を示す斜視図である。
【発明を実施するための形態】
【００１６】
次に、本発明の実施の形態について図面を参照しながら説明する。まず、図１から図４において、符号１１は逆止弁を示し、この逆止弁１１は、マンホール等の水抜き孔を形成するコンクリート一体部品１２（図４参照）に螺着される本体ケース１３と、本体ケース１３の下部に配設されるフィルター部材１４と、本体ケース１３の内部に遊動自在に配設されるバルブ１５と、本体ケース１３の第２フランジ部２４に沿って環状に設けられるパッキン１６と、パッキン１６の上部に位置するカバー部材１７とから構成される。
【００１７】
逆止弁１１は、地中に埋設されるマンホール又はハンドホールの底部の水抜き孔を形成するコンクリート一体部品１２に対して取り付けるものである（図４参照）。
コンクリート一体部品１２は、従来例のコンクリート一体部品２（図１１参照）と同様な形状であり、図４に示すように、筒形状で上部に外側に張り出したフランジ部１２ａが延設されており、内周に沿って雌ネジ部１２ｂが形成されている。
【００１８】
本体ケース１３は、筒形状で外周に沿って雄ネジ部１８が形成されており、雄ネジ部１８をコンクリート一体部品１２の雌ネジ部１２ｂに対して螺着する。
【００１９】
本体ケース１３の上部には外側に張り出した環状の第１フランジ部１９が延設される。第１フランジ部１９は、図４に示すように、コンクリート一体部品１２のフランジ部１２ａの上部に重なった状態で取り付けられる。
第１フランジ部１９とフランジ部１２ａとのそれぞれの基部近傍の間には、止水用のＯリング２０が配設される。
第１フランジ部１９の基部側には、周方向に沿って突出部３３が形成されている（図２参照）。この突出部３３がいわゆる土手としての機能を果たすので、水と一緒に流れる細かいゴミや砂等の通過を防ぐことができると共に水流を減速する効果がある。
【００２０】
また、本体ケース１３の上部には内側に張り出した環状の第２フランジ部２４が延設される。第２フランジ部２４の縁部に沿った位置には、後述するパッキン１６が取り付けられる。
【００２１】
第１フランジ部１９の上部には、壁部２１が等間隔で４箇所に立設しており、それぞれの壁部２１の側部には、係止用の係止溝２２が水平方向に形成されている。壁部２１の内側の中央部には、係止用且つ補強用のリブ２３が設けられている（図３参照）。リブ２３は、壁部２１に対して直交した状態に設けられる。
【００２２】
フィルター部材１４は、図３に示すように、円形でその内側が格子状又はメッシュ状に形成されており、水と一緒に流れるゴミ等の異物の流入を阻止する。また、フィルター部材１４の両端部には、係止片２５が形成されており、係止片２５が本体ケース１３の下部の係止部２６に係止する（図４参照）。
【００２３】
バルブ１５は、半球形又はドーム形に形成されて下部側が開口しており、下部側から浮遊用の発泡材２７を圧入して固定している。
このように、バルブ１５は半球形又はドーム形に形成されるので、従来例の球体のバルブ５に比較して、逆止弁１１の高さを短く形成できるのでコンパクトになる。また、発泡材２７の存在によって、水に浮遊し易くなりバルブに密接し易い。
さらに、バルブ１５の側部には、凹部１５ａが複数箇所に形成されている（図２及び図３参照）。この凹部１５ａの存在によって、省スペース化と排水性能との両立を図っている。
【００２４】
パッキン１６は、ゴム材で環状に形成されており、外周部に一条の切込み（図示せず）が形成されている。この切込みを第２フランジ部２４の縁部に沿って挿入してパッキン１６を環状に取り付ける。
【００２５】
カバー部材１７は、中央部に沿って膨出部１７ａを有して皿状に形成されており、外周には等間隔で４片の係止片２９が形成されている（図１及び図３参照）。
また、膨出部１７ａを上に向けた状態において、係止片２９近傍の内側には、ほぼ菱形の突起３０が形成されており、突起３０の近傍にはストッパー用の突部３５が形成されている（図１参照）。
そして、カバー部材１７の上下を反転させて、膨出部１７ａを下に向けた状態においては、係止片２９近傍の内側に、ほぼ山形の突起３１が形成されており、突起３１の近傍にはストッパー用の突部３６が形成されている（図３参照）。
【００２６】
次に、カバー部材１７を本体ケース１３に取り付ける手順について、逆止弁の機能を利用する場合（逆止弁機能の復帰）と、逆止弁の機能を利用しない場合（逆止弁機能の停止）とに分けて説明する。
【００２７】
まず、逆止弁の機能を利用する場合は、図５に示すように、カバー部材１７の膨出部１７ａを上に向けて本体ケース１３の上にセットしてから（矢印Ａ参照）、図６に示すように、カバー部材１７を矢印Ｂ方向に回転する。
【００２８】
そして、図１に示すように、係止片２９を係止溝２２に挿入して、カバー部材１７を強制的に回転すると、ストッパー用の突部３６がリブ２３を乗り越えて強固に係止する（図示せず）。
この時、カバー部材１７とパッキン１６との間に隙間があるので（離隔状態）、この隙間に水が流れて、本体ケース１３の内部に流入して、フィルター部材１４を通過して外部へ排水されることとなる。
【００２９】
また、カバー部材１７を本体ケース１３から取り外す場合は、カバー部材１７を逆方向に強制的に回転させて、係止片２９を係止溝２２の外側に出せばよい。
【００３０】
一方、地下水位が高い時には、図７に示すように、バルブ１５が浮力で浮き上がってパッキン１６に密接して施蓋状態になる。従って、マンホール等の内部への水の浸入を防止できる。
【００３１】
次に、逆止弁の機能を利用しない場合は、上述した図５及び図６の場合とは逆にして、カバー部材１７の上下を反転させて膨出部１７ａを下に向けて、カバー部材１７を本体ケース１３の上にセットする。
【００３２】
そして、図８に示すように、係止片２９を係止溝２２に挿入して、カバー部材１７を強制的に回転すると、ストッパー用の突部３５がリブ２３を乗り越えて強固に係止する（図示せず）。
この時、カバー部材１７の膨出部１７ａがパッキン１６に密着すると共に当該パッキン１６の反発力によって密着度が増して止水状態が完全になる。
【００３３】
次に、カバー部材１７の他の実施例について図１０−１に示す。このカバー部材３２は、外周に凹凸部３２ａが形成されている。カバー部材３２を回転する時に凹凸部３２ａが滑り止めの役目を果たすので回しやすい。
また、図１０−２に示すカバー部材３４は、膨出部１７ａの内側に把手片３４ａが形成されている。カバー部材３４を回転する時に指で把手片３４ａを掴めるので、回転が容易である。
【００３４】
以上のように構成される逆止弁１１は、カバー部材１７の取り付けと取り外しとが簡単でスムーズにおこなえると共に、１枚のカバー部材１７を反転して使用するので、逆止弁の機能を簡単に停止し又は復帰できる。
【００３５】
また、逆止弁１１の全ての部品、即ち本体ケース１３、フィルター部材１４、バルブ１５、発泡材２７、パッキン１６、及びカバー部材１７は、分解して交換できるので、部品の破損時等に便利であり経済的である。
【産業上の利用可能性】
【００３６】
本発明の逆止弁１１は、マンホール又はハンドホールの底部の水抜き孔に取り付けるものであるが、これら以外にも地中線ボックス、コンクリートボックス等の地中に設置するコンクリート製の筺体の水抜き孔に取り付けることが可能である。
【符号の説明】
【００３７】
１    逆止弁
２    コンクリート一体部品
３    本体ケース
４    フィルター部材
４ａ  繊維状のフィルター部材
５    バルブ
６    パッキン
１１  逆止弁
１２  コンクリート一体部品
１２ａフランジ部
１２ｂ雌ネジ部
１３  本体ケース
１４  フィルター部材
１５  バルブ
１５ａ凹部
１６  パッキン
１７  カバー部材
１７ａ膨出部
１８  雄ネジ部
１９  第１フランジ部
２０  Ｏリング
２１  壁部
２２  係止溝
２３  リブ
２４  第２フランジ部
２５  係止片
２６  係止部
２７  発泡材
２９  係止片
３０、３１  突起
３２  他の実施例のカバー部材
３２ａ凹凸部
３３  突出部
３４  他の実施例のカバー部材
３４ａ把手片
３５、３６  ストッパー用の突部
【図１】
0006475663.tif 000002
【図２】
0006475663.tif 000003
【図３】
0006475663.tif 000004
【図４】
0006475663.tif 000005
【図５】
0006475663.tif 000006
【図６】
0006475663.tif 000007
【図７】
0006475663.tif 000008
【図８】
0006475663.tif 000009
【図９】
0006475663.tif 000010
【図１０−１】
0006475663.tif 000011
【図１０−２】
0006475663.tif 000012
【図１１】
0006475663.tif 000013